(57)【特許請求の範囲】
【請求項１】
帯状の一対の基材のそれぞれの内面に、互いに着脱自在に嵌合する嵌合部が前記基材の長手方向に沿って設けられ、前記一対の基材の各々が袋本体の対向する内面にそれぞれ取り付けられる嵌合具であって、
前記基材の内面と外面における一方の側端と前記嵌合部の間だけに、それぞれ内側突起部と外側突起部が１つずつ前記基材の長手方向に沿って設けられ、
前記外側突起部が前記内側突起部よりも前記嵌合部側に位置しており、
前記外側突起部は、前記一方の側端が前記袋本体に形成される開口側となるように前記袋本体に前記嵌合具が取り付けられた状態で、前記袋本体の一対の開口端を互いに離間させるように押し広げる突起部である、嵌合具。
【請求項２】
一方の基材における前記嵌合部から前記一方の側端までの長さが、他方の基材における前記嵌合部から前記一方の側端までの長さよりも長い、請求項１に記載の嵌合具。
【請求項３】
内容物を収容する袋本体と、前記一方の側端が前記袋本体に形成される開口側となるように、該袋本体の内面に取り付けられた請求項１または２に記載の嵌合具と、を具備する嵌合具付き袋体。
【発明の詳細な説明】
【技術分野】
【０００１】
本発明は、嵌合具及び嵌合具付き袋体に関する。
【背景技術】
【０００２】
食品、薬品、雑貨等の様々な分野において、袋本体の開口近傍の内面に、開口を開閉自在に封じる嵌合具が取り付けられた嵌合具付き袋体が広く用いられている。例えば、一対の帯状の基材のそれぞれの内面に、突条の雄側嵌合部及び該雄側嵌合部に着脱自在に嵌合する雌側嵌合部が、それら基材の長手方向に沿ってそれぞれ設けられた嵌合具を備えた嵌合具付き袋体が知られている。該嵌合具付き袋体では、嵌合具の雄側嵌合部と雌側嵌合部を嵌合することにより、袋体に形成した開口を閉じることができる。また、嵌合具が取り付けられた袋本体の各々の開口端をそれぞれ把持し、それらを離間する方向に引っ張って雄側嵌合部を雌側嵌合部から脱離させることで、袋体を再び開封することができる。
【０００３】
しかし、このような嵌合具付き袋体は、形成された開口を嵌合具で閉じると、袋本体における雄側嵌合部側の開口端と雌側嵌合部側の開口端のフィルム材同士が密着する。そのため、再度袋体を開封する際にそれら開口端同士を開いて把持することが難しく、袋体の開封に時間がかかる。
嵌合具で封じた開口の開封性を高めた嵌合具付き袋体としては、例えば、袋本体の開口近傍の内面に嵌合具が取り付けられ、前記嵌合具の基材の開口側の側端に、該基材の内面側及び外面側に一体的に突出する突出部が形成されている嵌合具付き袋体が知られている（特許文献１）。しかし、特許文献１の嵌合具付き袋体でも易開封性は充分ではなく、易開封性をさらに向上させることが望まれる。
【先行技術文献】
【特許文献】
【０００４】
【特許文献１】特許第４４２３０４５号公報
【発明の概要】
【発明が解決しようとする課題】
【０００５】
本発明は、袋体の開口を自在に開閉する嵌合具であって、袋体の開口端を容易に安定して把持でき、開口をより簡便に繰り返し開閉できる嵌合具、及び該嵌合具を取り付けた嵌合具付き袋体の提供を目的とする。
【課題を解決するための手段】
【０００６】
本発明の嵌合具は、帯状の一対の基材のそれぞれの内面に、互いに着脱自在に嵌合する嵌合部が前記基材の長手方向に沿って設けられ、前記一対の基材の各々が袋本体の対向する内面にそれぞれ取り付けられる嵌合具であって、前記基材の内面と外面における一方の側端と前記嵌合部の間だけに、それぞれ内側突起部と外側突起部が１つずつ前記基材の長手方向に沿って設けられ、前記外側突起部が前記内側突起部よりも前記嵌合部側に位置しており、前記外側突起部は、前記一方の側端が前記袋本体に形成される開口側となるように前記袋本体に前記嵌合具が取り付けられた状態で、前記袋本体の一対の開口端を互いに離間させるように押し広げる突起部である。
また、本発明の嵌合具は、一方の基材における前記嵌合部から前記一方の側端までの長さが、他方の基材における前記嵌合部から前記一方の側端までの長さよりも長いことが好ましい。
【０００７】
また、本発明の嵌合具付き袋体は、内容物を収容する袋本体と、前記一方の側端が前記袋本体に形成される開口側となるように、該袋本体の内面に取り付けられた本発明の嵌合具と、を具備する。
【発明の効果】
【０００８】
本発明の嵌合具は、袋体の開口を自在に開閉する嵌合具であって、袋体の開口端を容易に安定して把持でき、開口をより簡便に繰り返し開閉できる。
また、本発明の嵌合具付き袋体は、本発明の嵌合具が取り付けられているため、開口端を容易に安定して把持でき、開口をより簡便に繰り返し開閉できる。
【図面の簡単な説明】
【０００９】
【図１】本発明の嵌合具の一例を示した断面図である。
【図２】図１の嵌合具が取り付けられた嵌合具付き袋体の正面図である。
【図３】図２の嵌合具付き袋体を直線Ｉ−Ｉ’で切断したときの断面図である。
【図４】図３の嵌合具付き袋体を開封したときの断面図である。
【図５】本発明の嵌合具の他の例を示した断面図である。
【図６】本発明の嵌合具付き袋体の他の例を示した断面図である。
【発明を実施するための形態】
【００１０】
以下、本発明の嵌合具、及び該嵌合具を取り付けた嵌合具付き袋体の一例を示して詳細に説明する。
［第１実施形態］  
（嵌合具）
図１は、本実施形態の嵌合具１０を、幅方向に沿って切断したときの断面図である。他の嵌合具の断面図についても同様である。
本実施形態の嵌合具１０は、図１に示すように、一対の帯状の第１の基材１１及び第２の基材１２を有している。
第１の基材１１の内面１１ａには、突条の雄側嵌合部１３が第１の基材１１の長手方向に沿って設けられており、一方の側端１１ｃ（以下、単に「側端１１ｃ」という。）と雄側嵌合部１３の間に、第１の内側突起部１５が第１の基材１１の長手方向に沿って設けられている。第１の基材１１の外面１１ｂには、側端１１ｃと雄側嵌合部１３の間に、第１の外側突起部１６が第１の基材１１の長手方向に沿って設けられている。また、第２の基材１２の内面１２ａには、雄側嵌合部１３に着脱自在に嵌合する雌側嵌合部１４が第２の基材１２の長手方向に沿って設けられており、一方の側端１２ｃ（以下、単に「側端１２ｃ」という。）と雌側嵌合部１４の間に、第２の内側突起部１７が第２の基材１２の長手方向に沿って設けられている。第２の基材１２の外面１２ｂには、側端１２ｃと雌側嵌合部１４の間に、第２の外側突起部１８が第２の基材１２の長手方向に沿って設けられている。
嵌合具１０は、第１の基材１１の側端１１ｃと第２の基材１２の側端１２ｃを袋体に形成する開口側とし、第１の基材１１の他方の側端１１ｄ（以下、単に「側端１１ｄ」という。）と第２の基材１２の他方の側端１２ｄ（以下、単に「側端１２ｄ」という。）を袋体の内容物側とするように袋本体に取り付けられる。つまり、嵌合具１０は、第１の内側突起部１５、第１の外側突起部１６、第２の内側突起部１７、及び第２の外側突起部１８が袋体の開口側となるように取り付けられる。
【００１１】
第１の基材１１は、特に限定されず、公知の嵌合具の基材に使用されるものが使用でき、積層フィルムからなる基材が好ましい。積層フィルムからなる第１の基材１１としては、例えば、内面１１ａ側から、耐熱層とヒートシール層が積層されたフィルムが挙げられる。また、第１の基材１１は、耐熱層とヒートシール層の間にバリア層を有していてもよい。
耐熱層の材質としては、二軸延伸ナイロン、二軸延伸ポリプロピレン等が挙げられる。
ヒートシール層の材質としては、直鎖状低密度ポリエチレン、無延伸ポリプロピレン、エチレン−酢酸ビニル共重合体、アイオノマー等が挙げられる。
バリア層の材質としては、ポリビニルアルコール等が挙げられる。
【００１２】
第１の基材１１は、１種の樹脂からなっていてもよく、２種以上の樹脂を含む樹脂組成物からなっていてもよい。また、必要に応じて安定剤、酸化防止剤、滑剤、帯電防止剤、着色剤等の公知の添加剤が添加されていてもよい。
また、第１の基材１１は、積層フィルムからなる基材には限定されず、単層フィルムからなる基材であってもよい。
第２の基材１２としては、第１の基材１１と同じ基材が挙げられ、好ましい態様も同じである。
【００１３】
雄側嵌合部１３は、第１の基材１１の内面１１ａから立ち上がる幹部１３ａと、幹部１３ａよりも大きい断面略半円形状の頭部１３ｂを有している。また、雌側嵌合部１４は、第２の基材１２の内面１２ａから断面円弧状に立ち上がる第１のアーム部１４ａと第２のアーム部１４ｂからなり、第１のアーム部１４ａと第２のアーム部１４ｂによって凹部１４ｃが形成されている。雄側嵌合部１３と雌側嵌合部１４は、雄側嵌合部１３の頭部１３ｂを雌側嵌合部１４の凹部１４ｃに嵌め込むことで、着脱自在に嵌合できるようになっている。
【００１４】
雄側嵌合部１３と雌側嵌合部１４の断面形状は、それらを互いに着脱することで、袋体に形成した開口の開閉が繰り返し行えるものであればよく、任意の断面形状を採用できる。例えば、この例の雌側嵌合部１４は、第１のアーム部１４ａと第２のアーム部１４ｂが第２の基材１２の内面１２ａから直接立ち上がっている形態であるが、第２の基材１２の内面１２ａから立ち上がる首部を有し、該首部から第１のアーム部と第２のアーム部が円弧状に立ち上がる形態の雌側嵌合部であってもよい。
雄側嵌合部１３及び雌側嵌合部１４の材質としては、第１の基材１１及び第２の基材１２と同じ材質が使用できる。
【００１５】
第１の内側突起部１５は、第１の基材１１における側端１１ｃと雄側嵌合部１３の間の内面１１ａに、第１の基材１１の長手方向に沿って設けられている。第１の内側突起部１５は、嵌合具１０により閉じた開口を開く際、袋体の開口端を把持すると同時に親指を引っ掛けることができるようになっている。これにより、前記開口端を安定して把持することができる。
【００１６】
第１の内側突起部１５の断面形状は、この例では三角形状である。ただし、第１の内側突起部１５の断面形状は特に限定されず、円形状、矩形状等であってもよい。第１の内側突起部１５の高さは、袋体の開口端を把持する際に親指を引っ掛けやすいように適宜設定すればよい。第１の内側突起部１５の幅も特に限定されない。
なお、第１の内側突起部１５の断面形状とは、嵌合具１０を幅方向に沿って切断したときの断面形状である。後述する第１の外側突起部１６、第２の内側突起部１７、第２の外側突起部１８についても同様である。
【００１７】
第１の外側突起部１６は、第１の基材１１における側端１１ｃと雄側嵌合部１３の間の外面１１ｂに、第１の基材１１の長手方向に沿って設けられている。第１の外側突起部１６は、嵌合具１０によって袋体の開口を閉じた際、袋本体の開口端を押し広げることができるようになっている。これにより、嵌合具１０によって袋体を閉じた状態において袋体の開口端同士が密着することを抑制でき、それら開口端を容易に把持できるようになる。
【００１８】
第１の外側突起部１６の断面形状は、この例では、三角形状である。ただし、第１の外側突起部１６の断面形状は、特に限定されず、円形状、矩形状であってもよい。第１の外側突起部１６の高さは、嵌合具１０によって袋体を閉じた状態において、開口端を充分に押し広げることができる高さであればよく、第１の基材１１における幅方向の位置に応じて適宜設定すればよい。第１の外側突起部１６の幅は特に限定されない。
【００１９】
また、第１の外側突起部１６は、第１の内側突起部１５よりも雄側嵌合部１３側に位置している。第１の外側突起部１６がより雄側嵌合部１３側であることで、嵌合具１０によって袋体の開口を閉じた際、袋本体の開口端が大きく押し広げられる。一方、第１の内側突起部１５は第１の外側突起部１６よりも側端１１ｃ側であるので、開口端を把持する際に第１の内側突起部１５に親指を引っ掛けやすい。このように、第１の外側突起部１６が第１の内側突起部１５よりも雄側嵌合部１３側に位置していることで、嵌合具１０によって袋体を閉じた状態でも非常に容易に袋体の開口端を把持することができる。
【００２０】
また、第１の内側突起部１５と第１の外側突起部１６の幅方向の距離は、第１の基材１１における雄側嵌合部１３から側端１１ｃまでの長さに応じて適宜設定できる。親指を引っ掛けて袋体の開口端を把持することがより容易になる点では、第１の内側突起部１５はできるだけ側端１１ｃにより近いことが好ましい。また、嵌合具１０によって袋体の開口を閉じた状態において、袋本体の開口端がより大きく押し広げられる点では、第１の外側突起部１６はできるだけ雄側嵌合部１３に近いことが好ましい。また、より安定して袋体の開口端を把持できる点から、第１の内側突起部１５と第１の外側突起部１６の幅方向の距離は、第１の外側突起部１６に人差し指を引っ掛けた状態で、容易に親指を第１の内側突起部１５に引っ掛けられる距離が好ましい。
【００２１】
第１の内側突起部１５は、第１の基材１１の長手方向に沿って連続的に設けられていても、第１の基材１１の長手方向に沿って断続的に破線状に設けられていてもよい。袋体の開口時、指にかかりやすく、開口性に優れる点から、第１の内側突起部１５は第１の基材１１の長手方向に沿って連続的に設けられていることが好ましい。第１の外側突起部１６も同様に、第１の基材１１の長手方向に沿って連続的に設けられていても、第１の基材１１の長手方向に沿って断続的に破線状に設けられていてもよい。嵌合具１０によって閉じた袋体の開口端がより安定して押し広げられやすい点から、第１の基材１１の長手方向に沿って連続的に設けられていることが好ましい。
また、第１の内側突起部１５及び第１の外側突起部１６は、雄側嵌合部１３と平行して設けられていてもよく、雄側嵌合部１３に対して傾斜して設けられていてもよい。
また、第１の内側突起部１５及び第１の外側突起部１６の数は、この例では、それぞれ１つずつであるが、この形態には限定されない。第１の内側突起部１５の数は２つ以上であってもよく、第１の外側突起部１６の数も２つ以上であってもよい。
【００２２】
第２の内側突起部１７は、第２の基材１２における側端１２ｃと雌側嵌合部１４の間の内面１２ａに、第２の基材１２の長手方向に沿って設けられている。第２の内側突起部１７は、嵌合具１０により閉じた開口を開く際、袋体の開口端を把持すると同時に親指を引っ掛けることができるようになっている。これにより、前記開口端を安定して把持することができる。
【００２３】
第２の外側突起部１８は、第２の基材１２における側端１２ｃと雌側嵌合部１４の間の外面１２ｂに、第２の基材１２の長手方向に沿って設けられている。第２の外側突起部１８は、嵌合具１０によって袋体の開口を閉じた際、袋本体の開口端を押し広げることができるようになっている。これにより、嵌合具１０によって袋体を閉じた状態において袋体の開口端同士が密着することを抑制でき、それら開口端を容易に把持できるようになるので、雄側嵌合部１３を雌側嵌合部１４からより簡便に脱離させることができる。
【００２４】
第２の内側突起部１７及び第２の外側突起部１８の断面形状は、この例では三角形状であるが、第１の内側突起部１５及び第１の外側突起部１６と同様に三角形状には限定されない。また、高さ、幅についても、第１の内側突起部１５及び第１の外側突起部１６と同様に適宜設定することができる。
【００２５】
また、第２の外側突起部１８は、第２の内側突起部１７よりも雌側嵌合部１４側に位置している。これにより、第１の基材１１の場合と同様に、嵌合具１０によって袋体の開口を閉じた際、袋本体の開口端が第２の外側突起部１８によって大きく押し広げられ、かつ第２の内側突起部１７に親指を引っ掛けやすい。そのため、嵌合具１０によって袋体を閉じた状態でも、非常に容易に袋体の開口端を把持でき、雄側嵌合部１３を雌側嵌合部１４からより簡便に脱離させることができる。
【００２６】
また、第２の内側突起部１７と第２の外側突起部１８の幅方向の距離は、第２の基材１２における雌側嵌合部１４から側端１２ｃまでの長さに応じて適宜設定できる。親指を引っ掛けて袋体の開口端を把持することがより容易になる点では、第２の内側突起部１７はできるだけ側端１２ｃに近いことが好ましい。また、嵌合具１０によって袋体の開口を閉じた状態において、袋本体の開口端がより大きく押し広げられる点では、第２の外側突起部１８はできるだけ雌側嵌合部１４に近いことが好ましい。また、第１の内側突起部１５と第１の外側突起部１６と同様の理由から、第２の内側突起部１７と第２の外側突起部１８の幅方向の距離は、第２の外側突起部１８に人差し指を引っ掛けた状態で、容易に親指を第２の内側突起部１７に引っ掛けられる距離が好ましい。
【００２７】
第１の内側突起部１５と第２の内側突起部１７は、それらの幅方向の位置が互いに対応していてもよく、互いに幅方向にずれていてもよい。第１の内側突起部１５と第２の内側突起部１７の幅方向の位置が対応している場合は、それぞれの高さを調節することで、雄側嵌合部１３と雌側嵌合部１４を嵌合した際に、第１の内側突起部１５と第２の内側突起部１７が接触するようにしてもよい。また、第１の内側突起部１５と第２の内側突起部１７が接触し、それによって第１の基材１１の側端１１ｃ側と第２の基材１２の側端１２ｃ側が押し広げられるようにしてもよい。この場合、第１の基材１１と第２の基材１２が押し広げられることで、第１の基材１１と第２の基材１２の間に親指を挿入しやすくなり、第１の内側突起部１５と第２の内側突起部１７に親指を引っ掛けて袋体の開口端を把持することがさらに容易になる。
また、第１の外側突起部１６と第２の外側突起部１８は、それらの幅方向の位置が互いに対応していてもよく、互いに幅方向にずれていてもよい。
【００２８】
第２の内側突起部１７及び第２の外側突起部１８は、第１の内側突起部１５及び第１の外側突起部１６と同様の理由から、第２の基材１２の長手方向に沿って連続的に設けられていることが好ましい。ただし、第２の内側突起部１７及び第２の外側突起部１８は、第２の基材１２の長手方向に沿って断続的に破線状に設けられていてもよい。
また、第２の内側突起部１７及び第２の外側突起部１８は、雌側嵌合部１４と平行して設けられていてもよく、雌側嵌合部１４に対して傾斜して設けられていてもよい。
また、第２の内側突起部１７及び第２の外側突起部１８の数は、この例では、それぞれ１つずつであるが、この形態には限定されない。第２の内側突起部１７の数は２つ以上であってもよく、第２の外側突起部１８の数も２つ以上であってもよい。
【００２９】
また、嵌合具１０では、第１の基材１１における雄側嵌合部１３から側端１１ｃまでの長さに比べて、第２の基材１２における雌側嵌合部１４から側端１２ｃまでの長さが長くなっている。これにより、嵌合具１０を袋体に取り付けた際に、第１の基材１１と第２の基材１２の開口側に段差が生じるため、嵌合具１０によって袋体を閉じた状態でも第２の基材１２の側端１２ｃ側を掴むことが容易になる。そして、第２の基材１２の側端１２ｃ側を開いて第１の基材１１の側端１１ｃ側を容易に掴むことができる。このように、第１の基材１１と第２の基材１２の開口側に段差を生じさせることで、嵌合具１０によって閉じた袋体の再開封がさらに容易になる。
【００３０】
（嵌合具付き袋体）
以下、本発明の嵌合具付き袋体の一例として、前記嵌合具１０が取り付けられた嵌合具付き袋体１（以下、「袋体１」という。）について説明する。
本実施形態の袋体１は、図２に示すように、内容物を収容する密封された状態の袋本体２０と、袋本体２０内の上部の内面に、横方向に沿って取り付けられた嵌合具１０とを有している。
袋本体２０は、第１のフィルム材２１と第２のフィルム材２２が重ね合わされ、それらの周縁部２３が全てヒートシールされることで形成されており、密封された状態になっている。また、袋本体２０における嵌合具１０よりも上部側には、横方向に沿って切断補助線２４が設けられており、その端部にノッチ２５が形成されている。つまり、袋体１は、ノッチ２５から、切断補助線２４に沿って袋本体２０の第１のフィルム材２１及び第２のフィルム材２２を切断して、上部を開封できるようになっている。開封後の袋体１は、嵌合具１０の雄側嵌合部１３と雌側嵌合部１４を着脱することで、形成した開口を自在に開閉できる。
【００３１】
袋本体２０の形状は、本実施形態では矩形である。ただし、袋本体２０の形状は矩形には限定されない。また、袋本体２０の大きさも特に限定されず、袋本体２０に収容する内容物によって適宜選定すればよい。
【００３２】
袋本体２０を形成する第１のフィルム材２１と第２のフィルム材２２は、ヒートシールにより嵌合具１０を溶着できるものであればよく、内面側からシーラント層と基材層を少なくとも有する積層フィルムが好ましい。
基材層としては、二軸延伸ナイロン、二軸延伸ポリプロピレン等が挙げられる。
シーラント層としては、直鎖状低密度ポリエチレン、無延伸ポリプロピレン、エチレン−酢酸ビニル共重合体、アイオノマー等が挙げられる。
また、前記積層フィルムには、バリア層等の機能層を設けてもよい。
また、第１のフィルム材２１と第２のフィルム材２２は、シーラント層のみからなる単層フィルムであってもよい。
【００３３】
嵌合具１０は、第１の基材１１の側端１１ｃ側及び第２の基材１２の側端１２ｃ側が袋体１の上部側に向くようにし、第１の基材１１の側端１１ｄ側及び第２の基材１２の側端１２ｄ側が内容物側となるように袋本体２０の内面に取り付けられている。つまり、嵌合具１０は、第１の内側突起部１５、第１の外側突起部１６、第２の内側突起部１７及び第２の外側突起部１８が設けられた側が袋体１の開口側となるように取り付けられている。
【００３４】
嵌合具１０は、図３に示すように、嵌合具１０の第１の基材１１が袋本体２０の第１のフィルム材２１に溶着され、嵌合具１０の第２の基材１２が袋本体２０の第２のフィルム材２２に溶着されている。この例では、袋本体２０の第１のフィルム材２１は、嵌合具１０の第１の外側突起部１６には溶着されていない。ただし、この形態には限定されず、袋本体２０の第１のフィルム材２１は、嵌合具１０の第１の外側突起部１６に溶着されていてもよい。同様に、袋本体２０の第２のフィルム材２２は、この例では嵌合具１０の第２の外側突起部１８に溶着されていないが、第２の外側突起部１８に溶着されていてもよい。嵌合具１０における第１の基材１１の第１の外側突起部１６よりも側端１１ｃ側と、第２の基材１２の第２の外側突起部１８よりも側端１２ｃ側は、袋本体には溶着されない。
【００３５】
切断補助線２４は、袋本体２０を切断して開封するのを補助する線である。切断補助線２４としては、例えば、袋本体２０の第１のフィルム材２１及び第２のフィルム材２２における切断補助線２４の部分をそれ以外の部分に比べて薄肉化した弱化線、ミシン目からなる弱化線、列状に形成された細孔からなる弱化線が挙げられる。また、切断補助線２４は、前記弱化線には限定されず、ハサミやカッター等で切断する位置を示す、印刷等で形成した線であってもよい。
切断補助線２４は、本実施形態では袋本体２０の幅方向に沿って形成されているが、この形態には限定されず、袋本体２０の幅方向に対して傾斜して設けられていてもよい。
【００３６】
ノッチ２５の形状は、この例では三角形状であるが、特に限定されず、半円形状、直線状等であってもよい。
【００３７】
袋体１は、ノッチ２５から切断補助線２４に沿って袋本体２０の上部を切断して除去することで、図４に示すように、上部に開口２６を形成して開封することができる。袋体１に形成した開口２６は、嵌合具１０の雄側嵌合部１３と雌側嵌合部１４を着脱することで繰り返し開閉できる。
袋体１においては、形成した開口２６を嵌合具１０によって閉じた際、嵌合具１０の第１の外側突起部１６と第２の外側突起部１８によって、袋本体２０の第１の開口端２７と第２の開口端２８が互いに離間するように押し広げられる。そのため、嵌合具１０によって開口２６を閉じている状態においても、第１の開口端２７と第２の開口端２８を容易に把持できる。また、第１の開口端２７と第２の開口端２８を把持すると共に、第１の内側突起部１５と第２の内側突起部１７に親指を引っ掛け、第１の外側突起部１６と第２の外側突起部１８に人差し指を引っ掛けて第１の基材１１と第２の基材１２の開口２６側を把持することで、第１の開口端２７と第２の開口端２８をより安定して把持できる。そのため、嵌合具１０により閉じた開口２６を簡便に開くことができる。
また、このとき、嵌合具１０の第１の基材１１と第２の基材１２の開口側に段差が形成されていることで、第１の開口端２７と第２の開口端２８を把持すると共に、第１の基材１１と第２の基材１２の開口２６側を把持することがさらに容易になる。
袋体１は、嵌合具１０を用いる以外は公知の製造方法で製造できる。
【００３８】
以上説明したように、本発明の嵌合具付き袋体は、開口を嵌合具により閉じた状態でも袋本体の開口端を容易にしっかりと把持でき、簡便に開封できる。
【００３９】
［他の実施形態］
なお、本発明の嵌合具は、前記嵌合具１０には限定されない。例えば、図５に示すように、第１の基材１１における雄側嵌合部１３から側端１１ｃまでの長さと、第２の基材１２における雌側嵌合部１４と側端１２ｃの長さが同じ嵌合具１０Ａであってもよい。
また、嵌合具１０は、第１の基材１１にそれぞれ１つずつ第１の内側突起部１５と第１の外側突起部１６が設けられ、第２の基材１２にそれぞれ１つずつ第２の内側突起部１７と第２の外側突起部１８が設けられていたが、第１の内側突起部１５、第１の外側突起部１６、第２の内側突起部１７及び第２の外側突起部１８のいずれかが、２つ以上設けられた嵌合具であってもよい。
また、本発明の嵌合具における嵌合部は、前述のような雄側嵌合部と雌側嵌合部の組み合わせには限定されない。例えば、それぞれの基材に複数の雄側嵌合部が設けられ、それらを互いに嵌め込むことで、袋体の開口を開閉するものであってもよい。また、それぞれの基材に１以上の雌側嵌合部が設けられ、それら雌側嵌合部同士を互いに嵌め込むことで、袋体の開口を開閉するものであってもよい。
【００４０】
また、本発明の嵌合具付き袋体は、本発明の嵌合具を取り付けたものであればよく、前記袋体１には限定されない。例えば、図６に示すように、前述した他の形態の嵌合具１０Ａを取り付けた嵌合具付き袋体１Ａであってもよい。また、袋本体２０の第１のフィルム材２１を嵌合具１０の第１の外側突起部１６の雄側嵌合部１３側の面まで溶着し、袋本体２０の第２のフィルム材２２を嵌合具１０の第２の外側突起部１８の雌側嵌合部１４側の面まで溶着した嵌合具付き袋体であってもよい。
また、嵌合具付き袋体の袋本体も特に限定されず、嵌合具付き袋体の袋本体として知られる様々な形態の袋本体を採用できる。例えば、袋体１は切断補助線２４を利用して開封するまでは密封状態の袋体であったが、予め開口が形成された袋本体を有する嵌合具付き袋体であってもよい。
【符号の説明】
【００４１】
１，１Ａ  嵌合具付き袋体
１０，１０Ａ  嵌合具
１１  第１の基材
１２  第２の基材
１３  雄側嵌合部
１４  雌側嵌合部
１５  第１の内側突起部
１６  第１の外側突起部
１７  第２の内側突起部
１８  第２の外側突起部
２０  袋本体
２１  第１のフィルム材
２２  第２のフィルム材
２３  周縁部
２４  切断補助線
２５  ノッチ
２６  開口
２７  第１の開口端
２８  第２の開口端
【図１】
0006341483.tif 000002
【図２】
0006341483.tif 000003
【図３】
0006341483.tif 000004
【図４】
0006341483.tif 000005
【図５】
0006341483.tif 000006
【図６】
0006341483.tif 000007